【手続補正書】
【提出日】平成19年8月31日(2007.8.31)
【手続補正１】
【補正対象書類名】特許請求の範囲
【補正対象項目名】全文
【補正方法】変更
【補正の内容】
【特許請求の範囲】
【請求項１】
第１のリモートコントローラから送信された第１のリモートコントロール信号を受信可能な受信部と、
前記受信した第１のリモートコントロール信号を復調し、第１のリモートコントロールコードとして出力可能な復調手段と、
第１のリモートコントロールコード並びに第１のリモートコントロールコードとは異なる第２のリモートコントロールコードを互いに対応付けて記憶する記憶手段と、
前記受信した第１のリモートコントロールコードに対応する前記第２のリモートコントロールコードを前記記憶手段のテーブル上で特定する制御手段と、
前記特定された第２のリモートコントロールコードを変調し第２のリモートコントロール信号として出力する変調手段とを
備えることを特徴とする
リモートコントロールコード変換装置。
【請求項２】
請求項１記載のリモートコントロールコード変換装置において、
前記受信部は更に第２のリモートコントローラからの第２のリモートコントロール信号を受信可能であり、
前記復調手段は更に第２のリモートコントロール信号を復調し、前記第２のリモートコントロールコードとして出力可能であり、
予め前記記憶手段に記憶された第１のリモートコントロールコード及び前記復調手段が復調した第１のリモートコントロールコードの少なくともいずれか一方に対応させて、前記復調手段が復調した第２のリモートコントロールコードを新たに前記記憶手段に記憶させることを特徴とする
リモートコントロールコード変換装置。
【請求項３】
請求項１記載のリモートコントロールコード変換装置において、
前記制御手段は、前記受信した第１のリモートコントロールコードが前記記憶手段内に記憶された第２のリモートコントロールコードに対して特定不可である場合には、前記リモートコントロールコード変換装置を受信待機状態に変遷させることを特徴とする
リモートコントールコード変換装置。
【請求項４】
請求項１から３のいずれか一項に記載のリモートコントロールコード変換装置において、
前記受信部は、装置本体からケーブルで引き出された手段で構成したことを特徴とする
リモートコントロールコード変換装置。
【請求項５】
第１のリモートコントローラと、前記第１のリモートコントローラからのリモートコントロール信号を変換するリモートコントロールコード変換装置とで構成されるリモートコントロールコード変換システムであって、
前記リモートコントロールコード変換装置は、
前記第１のリモートコントローラから送信された第１のリモートコントロール信号を受信可能な受信部と、
前記受信した第１のリモートコントロール信号を復調し、第１のリモートコントロールコードとして出力可能な復調手段と、
前記第１のリモートコントロールコード並びに第１のリモートコントロールコードとは異なる第２のリモートコントロールコードを互いに対応付けて記憶する記憶手段と、
前記第１のリモートコントロールコードに対応する前記第２のリモートコントロールコードを前記記憶手段のテーブル上で特定する制御手段と、
前記特定された第２のリモートコントロールコードを変調し第２のリモートコントロール信号として出力する変調手段とを
備えることを特徴とする
リモートコントロールコード変換システム。
【請求項６】
請求項５に記載のリモートコントロールコード変換システムにおいて、
更に第１並びに第２の被制御機器を有し、
前記第１のリモートコントロールコードは前記第１の被制御機器を制御するためのコードであり、
前記第２のリモートコントロールコードは前記第２の被制御機器を制御するためのコードであることを特徴とする
リモートコントロールコード変換システム。
【請求項７】
請求項６に記載のリモートコントロールコード変換システムにおいて、
前記第１の被制御機器は更に被制御機器側受信部、並びに、被制御機器側送信部とを有し、
前記被制御機器側受信部は前記第１のリモートコントロール信号を受信可能であり、
前記第１の被制御機器における前記被制御機器側送信部は、前記リモートコントロールコード変換装置における前記受信部と接続関係にあり、
前記被制御機器において前記第１のリモートコントロール信号を受信した際に、前記被制御機器側受信部から入力した前記第１のリモートコントロール信号を前記被制御機器側送信部から出力し、前記受信部に対し前記第１のリモートコントロール信号の転送を行うことを特徴とする
リモートコントロールコード変換システム。
【請求項８】
請求項５から７のいずれか一項に記載のリモートコントロールコード変換システムにおいて、
更に第２のリモートコントローラを有し、
前記受信部は更に第２のリモートコントローラからの第２のリモートコントロール信号を受信可能であり、
前記復調手段は更に第２のリモートコントロール信号を復調し、前記第２のリモートコントロールコードとして出力可能であり、
予め前記記憶手段に記憶された第１のリモートコントロールコード及び前記復調手段が復調した第１のリモートコントロールコードの少なくともいずれか一方に対応させて、前記復調手段が復調した第２のリモートコントロールコードを新たに前記記憶手段に記憶させることを特徴とする
リモートコントロールコード変換システム。
【請求項９】
第１のリモートコントローラから送信された第１のリモートコントロール信号を受信する受信処理と、
前記受信した第１のリモートコントロール信号を復調し、第１のリモートコントロールコードとして出力する復調処理と、
前記第１のリモートコントロールコードを、前記第１のリモートコントロールコードとは異なる第２のリモートコントロールコードに変換する変換処理とを実行するリモートコントロールコード変換方法であり、
前記第１のリモートコントロール信号を受信した際に、予め対応付けられた第１のリモートコントロールコードと第２のリモートコントロールコードとの対応関係を参照し、前記受信した第１のリモートコントロールコードに基づき前記第２のリモートコントロールコードが特定可能な場合に、前記第１のリモートコントロールコードから前記第２のリモートコントロールコードへの変換処理を施し、
前記変換後の第２のリモートコントロールコードを変調し第２のリモートコントロール信号として出力することを特徴とする
リモートコントロールコード変換方法。
【手続補正２】
【補正対象書類名】明細書
【補正対象項目名】発明の名称
【補正方法】変更
【補正の内容】
【発明の名称】リモートコントロールコード変換装置、リモートコントロールコード変換システム、及びリモートコントロールコード変換方法
【手続補正３】
【補正対象書類名】明細書
【補正対象項目名】０００１
【補正方法】変更
【補正の内容】
【０００１】
本発明は、映像機器などをリモートコントロールする赤外線信号のコードを変換するリモートコントロールコード変換装置、リモートコントロールコード変換システム、及びリモートコントロールコード変換方法に関する。
【手続補正４】
【補正対象書類名】明細書
【補正対象項目名】００１４
【補正方法】変更
【補正の内容】
【００１４】
本発明は、第１のリモートコントローラから送信された第１のリモートコントロール信号を受信する受信し、受信した第１のリモートコントロール信号を復調し、第１のリモートコントロールコードとして出力し、第１のリモートコントロールコードを、第１のリモートコントロールコードとは異なる第２のリモートコントロールコードに変換する処理を実行する場合に適用される。
その処理構成としては、第１のリモートコントロール信号を受信した際に、予め対応付けられた第１のリモートコントロールコードと第２のリモートコントロールコードとの対応関係を参照し、受信した第１のリモートコントロールコードに基づき第２のリモートコントロールコードが特定可能な場合に、第１のリモートコントロールコードから第２のリモートコントロールコードへの変換を施し、変換後の第２のリモートコントロールコードを変調し第２のリモートコントロール信号として出力するものである。
【手続補正５】
【補正対象書類名】明細書
【補正対象項目名】００１５
【補正方法】変更
【補正の内容】
【００１５】
このようにしたことで、第１のリモートコントロールコードを、登録された第２のリモートコントロールコードに変換させてリモートコントロール信号として出力させることができ、事前の登録作業さえ行えば、他のコードの信号受信で、どのようなコードのリモートコントロール信号についても出力できるようになる。